【手続補正書】
【提出日】平成26年7月15日(2014.7.15)
【手続補正１】
【補正対象書類名】明細書
【補正対象項目名】発明の名称
【補正方法】変更
【補正の内容】
【発明の名称】インクジェット記録方法及びインクジェット記録装置
【手続補正２】
【補正対象書類名】明細書
【補正対象項目名】０００１
【補正方法】変更
【補正の内容】
【０００１】
本発明は、記録データに応じて記録媒体上に文字や画像を記録するインクジェット記録方法及びインクジェット記録装置に関するものである。
【手続補正３】
【補正対象書類名】明細書
【補正対象項目名】０００８
【補正方法】変更
【補正の内容】
【０００８】
そこで、本発明は上記の事情に鑑み、特別な構成を加えずに、記録ヘッドに形成された吐出口ごとの、吐出されたインクによる記録画像の濃度の偏りを抑えることのできるインクジェット記録方法及びインクジェット記録装置を提供することを目的とする。
【手続補正４】
【補正対象書類名】明細書
【補正対象項目名】０００９
【補正方法】変更
【補正の内容】
【０００９】
本発明のインクジェット記録方法は、インクを吐出する複数の吐出口が配列された記録ヘッドを記録媒体に対して走査させることにより、前記記録媒体に画像を記録するインクジェット記録方法であって、前記記録媒体の第１の領域に対する前記記録ヘッドの複数回の走査のうち少なくとも１回の走査で、記録ヘッドの端部に含まれる吐出口を用いて、前記第１の領域に前記画像の第１の部分を記録する工程と、前記記録媒体の前記第１の領域とは異なる第２の領域に対する前記記録ヘッドの複数回の走査のうち全ての走査で記録ヘッドの端部に含まれる吐出口を用いずに、前記第２の領域に前記画像の前記第１の部分とは異なる第２の部分を記録する工程とを備え、前記第１の領域に対する複数回の走査の各走査における、インクの吐出が許容されるかどうかを示す記録許容率の合計が、前記第２の領域に対する複数回の走査の各走査における、インクの吐出が許容されるかどうかを示す記録許容率の合計よりも大きいことを特徴とする。
【手続補正５】
【補正対象書類名】明細書
【補正対象項目名】００１０
【補正方法】変更
【補正の内容】
【００１０】
本発明によれば、吐出制御によって記録ヘッドの吐出口ごとの温度上昇の違いによる濃度の偏りを抑えることができるので、構成を付加せず簡易に記録画像の濃度の品質を高く維持することのできるインクジェット記録方法及びインクジェット記録装置を提供することができる。
【手続補正６】
【補正対象書類名】特許請求の範囲
【補正対象項目名】全文
【補正方法】変更
【補正の内容】
【特許請求の範囲】
【請求項１】
インクを吐出する複数の吐出口が配列された記録ヘッドを記録媒体に対して走査させることにより、前記記録媒体に画像を記録するインクジェット記録方法であって、
前記記録媒体の第１の領域に対する前記記録ヘッドの複数回の走査のうち少なくとも１回の走査で、記録ヘッドの端部に含まれる吐出口を用いて、前記第１の領域に前記画像の第１の部分を記録する工程と、
前記記録媒体の前記第１の領域とは異なる第２の領域に対する前記記録ヘッドの複数回の走査のうち全ての走査で、記録ヘッドの端部に含まれる吐出口を用いずに、前記第２の領域に前記画像の前記第１の部分とは異なる第２の部分を記録する工程と
を備え、
前記第１の領域に対する複数回の走査の各走査における、インクの吐出が許容されるかどうかを示す記録許容率の合計が、前記第２の領域に対する複数回の走査の各走査における、インクの吐出が許容されるかどうかを示す記録許容率の合計よりも大きいことを特徴とするインクジェット記録方法。
【請求項２】
前記第１の領域に対する前記記録ヘッドの走査回数は、前記第２の領域に対する前記記録ヘッドの走査回数よりも多いことを特徴とする請求項１に記載のインクジェット記録方法。
【請求項３】
前記第１の領域に対する走査回数は３であり、前記第２の領域に対する走査回数は２であることを特徴とする請求項１または２に記載のインクジェット記録方法。
【請求項４】
前記第１の領域に対する走査回数は、前記第２の領域に対する走査回数と同じであることを特徴とする請求項１に記載のインクジェット記録方法。
【請求項５】
前記第１の領域に対する複数回の走査における前記記録許容率に対応する第１のマスクパターンに基づいて、前記第１の領域に対する複数回の走査のそれぞれで記録するためのデータが生成され、
前記第２の領域に対する複数回の走査における前記記録許容率に対応する第２のマスクパターンに基づいて、前記第２の領域に対する複数回の走査のそれぞれで記録するためのデータが生成されることを特徴とする請求項１から４のいずれか１項に記載のインクジェット記録方法。
【請求項６】
前記第１の領域に対応する前記記録許容率は、各走査に対応する前記第１のマスクパターンの記録デューティであり、
前記第２の領域に対応する前記記録許容率は、各走査に対応する前記第２のマスクパターンの記録デューティであることを特徴とする請求項５に記載のインクジェット記録方法。
【請求項７】
前記第１のマスクパターンにおいて、各走査に対応する記録デューティの合計は１００パーセントよりも大きく、
それぞれの前記第２のマスクパターンにおいて、各走査に対応する記録デューティの合計は１００パーセントであることを特徴とする請求項６に記載のインクジェット記録方法。
【請求項８】
所定方向に吐出口が並ぶ第１の吐出口列と、前記第１の吐出口列と同色のインクを吐出する吐出口が並ぶ第２の吐出口列と、が前記所定方向と交差する方向にずれて配列された記録ヘッドを記録媒体に対して走査させることにより、前記記録媒体に画像を記録するインクジェット記録方法であって、
前記記録媒体の第１の領域に対する前記記録ヘッドの少なくとも１回の走査で、前記第１の吐出口列及び前記第２の吐出口列の端部の吐出口を用いることにより、前記第１の領域に前記画像の第１の部分を記録する工程と、
前記第１の吐出口列及び前記第２の吐出口列の端部の吐出口を用いずに、前記第２の領域に前記画像の第２の部分を記録する工程と
を備え、
前記第１の領域に対するインクの吐出の許容を示す記録許容率の合計は、前記第２の領域に対するインクの吐出の許容を示す記録許容率の合計よりも大きいことを特徴とするインクジェット記録方法。
【請求項９】
前記記録ヘッドの１回の走査によって、前記第１の領域及び前記第２の領域に前記画像の前記第１の部分及び前記第２の部分を記録することを特徴とする請求項８に記載のインクジェット記録方法。
【請求項１０】
前記第１の領域に対応する前記記録許容率は１００パーセントよりも大きく、前記第２の領域に対応する前記記録許容率は１００パーセントであることを特徴とする請求項８または９に記載のインクジェット記録方法。
【請求項１１】
インクを吐出する複数の吐出口が配列された記録ヘッドを記録媒体に対して走査させることにより、前記記録媒体に画像を記録するインクジェット記録装置であって、
前記記録媒体の第１の領域に対する前記記録ヘッドの複数回の走査のうち少なくとも１回の走査で、記録ヘッドの端部に含まれる吐出口を用いて、前記第１の領域に前記画像の第１の部分を記録し、前記記録媒体の前記第１の領域とは異なる第２の領域に対する前記記録ヘッドの複数回の走査のうち全ての走査で、記録ヘッドの端部に含まれる吐出口を用いずに、前記第２の領域に前記画像の前記第１の部分とは異なる第２の部分を記録する記録手段を備え、
前記第１の領域に対する複数回の走査の各走査における、インクの吐出が許容されるかどうかを示す記録許容率の合計が、前記第２の領域に対する複数回の走査の各走査における、インクの吐出が許容されるかどうかを示す記録許容率の合計よりも大きいことを特徴とするインクジェット記録装置。
【請求項１２】
所定方向に吐出口が並ぶ第１の吐出口列と、前記第１の吐出口列と同色のインクを吐出する吐出口が並ぶ第２の吐出口列と、が前記所定方向と交差する方向にずれて配列された記録ヘッドを記録媒体に対して走査させることにより、前記記録媒体に画像を記録するインクジェット記録装置であって、
前記記録媒体の第１の領域に対する前記記録ヘッドの少なくとも１回の走査で、前記第１の吐出口列及び前記第２の吐出口列の端部の吐出口を用いることにより、前記第１の領域に前記画像の第１の部分を記録し、前記第１の吐出口列及び前記第２の吐出口列の端部の吐出口を用いずに、前記第２の領域に前記画像の第２の部分を記録する記録手段を備え、
前記第１の領域に対するインクの吐出の許容を示す記録許容率の合計は、前記第２の領域に対するインクの吐出の許容を示す記録許容率の合計よりも大きいことを特徴とするインクジェット記録装置。